(57)【要約】【課題】取り付けられた携帯型の記録媒体が破損することを防止できる電子機器を提供する。【解決手段】カーナビ１は機器本体２と機器本体２の前面２ｄから当該機器本体２の内外に移動自在に設けられた表示ユニット３と表示ユニット３を支持してこの表示ユニット３を機器本体２に出し入れするとともに当該表示ユニット３を機器本体２の外に位置付けて機器本体２に対して立ち上げる駆動機構４とを備えている。駆動機構４のスライド部１２のスライドシャーシ２１の表面にはＵＳＢメモリ６が取り付けられるコネクタ部５が設けられている。コネクタ部５が、当該コネクタ部２に取り付けられたＵＳＢメモリが表示ユニット３の背面３ｄと重なる位置に配置されている。【選択図】図８
2009286333.tif 000002
【特許請求の範囲】
【請求項１】
機器本体と、
前記機器本体の前面から当該機器本体の内外に移動自在に設けられた移動部と、
前記移動部を支持してこの移動部を前記機器本体に出し入れするとともに当該移動部を前記機器本体の外に位置付けて前記機器本体に対して立ち上げる移送部と、を備えた電子機器において、
前記移送部の表面に設けられかつ携帯型の記録媒体が取り付けられるコネクタ部を備え、
このコネクタ部が、当該コネクタ部に取り付けられた携帯型の記録媒体が前記移動部の背面と重なる位置に配置されていることを特徴とする電子機器。
【請求項２】
前記移動部が、機器本体内に記憶された情報又は機器本体外から受信した情報を表示する表示部を備えたことを特徴とする請求項１に記載の電子機器。
【請求項３】
前記移送部は、前記機器本体内に前記移動部を収容する収容位置と前記機器本体外に前記移動部を露出する初期位置とに亘って当該移動部をスライド可能であるとともに、前記移動部を前記機器本体に対して立ち上げる視認位置と前記初期位置とに亘って当該移動部を回転可能であり、前記携帯型の記録媒体を着脱する際に前記移動部を前記初期位置に位置付けることを特徴とする請求項２に記載の電子機器。
【請求項４】
前記移送部は、前記携帯型の記録媒体が取り付けられていない際に前記コネクタ部を前記機器本体内に位置付けることを特徴とする請求項１乃至請求項３のうちいずれか一項に記載の電子機器。
【発明の詳細な説明】
【技術分野】
【０００１】
本発明は、例えば自動車等の移動体に装着されるとともに、機器本体に対して出し入れ自在に設けられた移動部を備え、かつ、携帯型の記録媒体を取付可能な電子機器に関する。
【背景技術】
【０００２】
従来から、移動体としての自動車には、電子機器としてのナビゲーション装置（以下カーナビと呼び、例えば、特許文献１参照）が取り付けられることがある。前述した特許文献１などに示されたカーナビは、箱状の機器本体と、この機器本体に出し入れ自在に設けられた表示ユニットと、当該表示ユニットを前記機器本体の内外に亘って移動させる移送部と、を備えている。
【０００３】
機器本体は、扁平な箱状に形成されており、前述した自動車のインストルメントパネルに取り付けられる。機器本体は、ナビゲーションユニット、ＤＶＤ（Digital Versatile Disk）などの記録媒体の情報を読み出すことが可能なディスク駆動装置やテレビチューナなどを収容している。
【０００４】
表示ユニットは、扁平な板状に形成されており、例えば、ＬＣＤ（Liquid Crystal Display）などの表示パネルを備えている。表示ユニットは、表示パネルにナビゲーションユニットからの情報、ディスク駆動装置が再生した情報や、テレビチューナが受信したテレビ映像を表示する。表示ユニットは、移送部によって、機器本体の前面に設けられた開口部を通して、当該機器本体に出し入れ自在に設けられている。
【０００５】
移送部は、前述した表示ユニットを機器本体に出し入れする。また、移送部は、表示パネルが下方に相対する状態で前述した表示ユニットを機器本体に収容した収容位置と、この表示ユニットを表示パネルの表面に沿って機器本体外に位置付けた排出位置とに亘って、前記表示ユニットを移動する。さらに、移送部は、前述した排出位置において、表示ユニットの一端部としての下端部を中心として回転して、表示パネルを使用者に対するように立ち上げて相対させたり、表示パネルを下方に相対させる。
【０００６】
前述した特許文献１に示されたカーナビは、機器本体内に表示ユニットを収容した状態で、移送部が表示パネルの表面に沿って表示ユニットを機器本体外に一旦移動する。そして、駆動機構が、下端部を中心として表示ユニットを回転して、立ち上げて、表示パネルを前述した自動車の乗員などに相対させる。そして、前述したカーナビは、ナビゲーションユニットからの情報、ディスク駆動装置が再生した情報や、テレビチューナが受信したテレビ映像を表示パネルに表示する。
【０００７】
また、前述したカーナビは、ＵＳＢ（Universal Serial Bus）メモリなどの携帯型の記録媒体を着脱自在として、当該ＵＳＢメモリの情報を読み出して再生することが求められている。この種のＵＳＢメモリは、機器本体に取り付けられると、恰も、当該機器本体の表面から立設した状態となる。
【特許文献１】特開２００２−５５６２５号公報
【発明の開示】
【発明が解決しようとする課題】
【０００８】
前述したカーナビは、ＵＳＢメモリが機器本体に取り付けられると、当該ＵＳＢメモリが機器本体の表面から恰も立設した状態となることが考えられる。この場合、勿論、携帯型の記録媒体は、機器本体の表面から突出した状態となる。このため、前記自動車の乗員などが前述した携帯型の記録媒体に接触して、最悪の場合には、当該携帯型の記録媒体やこの携帯型の記録媒体が着脱されるコネクタ部などを破損させるおそれがあった。さらに、ＵＳＢメモリの大きさとコネクタ部の位置によっては運転操作の妨げになるおそれがあった。一方、ＵＳＢメモリを機器本体内に格納することも考えられるが、不定形であるＵＳＢメモリを全てのサイズで格納するために装置が大型化し、複雑な機構が必要となるという問題があった。
【０００９】
したがって、本発明の目的は、例えば、取り付けられた携帯型の記録媒体が破損することを防止できる電子機器を提供することにある。
【課題を解決するための手段】
【００１０】
前記課題を解決し目的を達成するために、請求項１に記載の本発明の電子機器は、機器本体と、前記機器本体の前面から当該機器本体の内外に移動自在に設けられた移動部と、前記移動部を支持してこの移動部を前記機器本体に出し入れするとともに当該移動部を前記機器本体の外に位置付けて前記機器本体に対して立ち上げる移送部と、を備えた電子機器において、前記移送部の表面に設けられかつ携帯型の記録媒体が取り付けられるコネクタ部を備え、このコネクタ部が、当該コネクタ部に取り付けられた携帯型の記録媒体が前記移動部の背面と重なる位置に配置されていることを特徴としている。
【発明を実施するための最良の形態】
【００１１】
以下、本発明の一実施形態にかかる電子機器を説明する。本発明の一実施形態にかかる電子機器は、携帯型の記録媒体が取り付けられるコネクタ部が、当該コネクタ部に取り付けられる携帯型の記録媒体が移動部の背面と重なる位置に配置されているので、携帯型の記録媒体を移動部によりカバーすることなり、直接記録媒体に接触し難くなる。したがって、当該記録媒体やコネクタ部の破損を防止することが可能となる。さらに、携帯型の記録媒体が運転者へ向けて突出することがないので、運転の妨げになることもない。また、携帯型の記録媒体を機器本体に格納するための機構も必要ないので機器本体を小型化できる。また、コネクタ部は表面に露出しているので複雑な機構等も不要となる。
【００１２】
また、移動部が、機器本体内に記憶された情報又は機器本体外から受信した情報を表示する表示部を備えていても良い。この場合、表示部が機器本体内に格納される電子機器において、携帯型の記録媒体をカバーするための特別な機構、部品を設ける必要がない。よって、装置の小型化、構造の簡素化が可能となる。
【００１３】
さらに、移送部は、機器本体内に移動部を収容する収容位置と機器本体外に移動部を露出する初期位置とに亘って当該移動部をスライド可能であるとともに、移動部を機器本体に対して立ち上げる視認位置と前記初期位置とに亘って当該移動部を回転可能であり、携帯型の記録媒体を着脱する際に前記移動部を前記初期位置に位置付けても良い。この場合、カバーである移動部が携帯型の記録媒体の着脱を妨げることがなく、利便性を向上させることができる。
【００１４】
移送部は、携帯型の記録媒体が取り付けられていない際にコネクタ部を機器本体内に位置付けても良い。この場合、コネクタ部が露出していることがないため塵埃が堆積することによる接触不良等を防ぐことができる。
【実施例】
【００１５】
本発明の一実施例を、図１ないし図９に基づいて説明する。電子機器としてのカーナビゲーション装置（以下、カーナビと呼ぶ）１は、図１などに示すように、移動体としての自動車の被取付物としてのインストルメントパネル（以下、インパネと呼ぶ）Ｄなどに装着される。
【００１６】
カーナビ１は、図２ないし図５に示すように、機器本体２と、機器本体２内に出し入れ自在に設けられた移動部としての表示ユニット３と、機器本体２内に表示ユニット３を出し入れする移送部としての駆動機構４（図６及び図７に示す）と、前記駆動機構４に設けられたコネクタ部５（図４に示す）と、を備えている。
【００１７】
機器本体２は、扁平な箱状に形成されている。機器本体２は、インパネＤに取り付けられる。機器本体２は、インパネＤに装着された際に、自動車の乗員室側に相対向する前面２ｄに開口部２ａと後述のＤＶＤ―ＲＯＭやＤＶＤビデオなどを出し入れする挿入口２ｂとを設けている。前面２ｄにおいて、開口部２ａが挿入口２ｂの上方に配置されている。
【００１８】
なお、以下、前述したＤＶＤ―ＲＯＭやＤＶＤビデオなどを出し入れする際にこれらを移動する方向を奥行き方向Ｙとし、前述したＤＶＤ―ＲＯＭやＤＶＤビデオの表面と平行でかつ奥行き方向Ｙと直交する方向を幅方向Ｘとし、前述した幅方向Ｘと奥行き方向Ｙとの双方と直交する方向を厚み方向Ｚとする。
【００１９】
また、機器本体２内は、図示しないナビゲーションユニットとプレーヤ装置とテレビチューナなどを収容している。即ち、カーナビ１は、ナビゲーションユニットと、プレーヤ装置と、テレビチューナを更に備えている。
【００２０】
ナビゲーションユニットは、前述した自動車の走行距離センサから該自動車のタイヤの回転に対応して車速パルス信号が入力する。ナビゲーションユニットは、前述した奥行き方向Ｙの加速度を検出する加速度センサや、ＧＰＳ（Global Positioning System：全地球測位システム）などを備えている。ナビゲーションユニットは、前述した加速度センサやＧＰＳなどを用いて、自動車の位置を測定したり、自動車の移動方向などを算出する。そして、ナビゲーションユニットは、自動車の位置や移動方向などを表示ユニット３の後述する表示パネル３ａに表示する。
【００２１】
プレーヤ装置は、周知のＤＶＤ（Digital Versatile Disk）―ＲＯＭ（Read Only Memory）やＤＶＤビデオなどを再生して、これらのＤＶＤ―ＲＯＭやＤＶＤビデオなどからの情報を表示ユニット３の表示パネル３ａに表示する。また、プレーヤ装置は、コネクタ部５に取り付けられた携帯型の記録媒体としてのＵＳＢ（Universal Serial Bus）メモリ６の情報を読み出して、音声として出力する。この種のＵＳＢ（Universal Serial Bus）メモリ６は、棒状に形成されており、音声情報などを記憶することができる。テレビチューナは、テレビ放送を受信して、受信して得た映像を表示ユニット３の表示パネル３ａに表示する。
【００２２】
表示ユニット３は、液晶ディスプレイ（Liquid Crystal Display）などからなる文字や画像などの情報を運転者などに向かって表示して視認させるための表示部としての表示パネル３ａと、この表示パネル３ａを収容する筐体部材３ｂなどを備えている。表示ユニット３は、前記機器本体２内に、表示パネル３ａが下方に相対した状態で収容される。表示ユニット３は、機器本体２内に収容されると、表示ユニット３は、開口部２ａを通して駆動機構４により機器本体２内外にスライド移動自在である。表示ユニット３の表示パネル３ａは、前述したナビゲーションユニットと、プレーヤ装置と、テレビチューナからの情報を表示する。即ち、表示パネル３ａは、機器本体２内に記憶された情報又は機器本体２外から受信した情報を表示する。
【００２３】
また、前述した表示ユニット３の機器本体２内に収容されると前記前面２ｄ側に露出する端面と、後述する視認位置において筐体部材３ｂの表示パネル３ａの下方に位置する部分には、図１及び図５に示すように、操作手段としての操作部１３が設けられている。操作部１３は、複数の操作ボタン１４などを備えている。これらの操作ボタン１４即ち操作部１３は、前述した表示パネル３ａに表示する情報を、ナビゲーションユニットからの情報と、プレーヤ装置からの情報と、テレビチューナからの情報とを切り換えるためなどに用いられる。また、操作ボタン１４即ち操作部１３は、機器本体２内から表示ユニット３を出し入れするためや、後述の視認位置で、表示ユニット３の向きを調整するためなどに用いられる。このため、操作ボタン１４即ち操作部１３は、視認位置にある表示ユニット３を後述の収容位置に移動させるための指令を発する。
【００２４】
駆動機構４は、図６及び図７に示すように、固定部７と、スライド部１２と、回動部１５とを備えている。固定部７は、ラック２０を備えている。ラック２０は、機器本体２内に収容されかつ該機器本体２に固定されている。ラック２０は、直線状に形成されており、その長手方向は、前述した奥行き方向Ｙと平行に配置されている。ラック２０は、機器本体２の奥行き方向Ｙの全長に亘って設けられている。図示例では、ラック２０は、機器本体２の天井の内面に設けられている。
【００２５】
スライド部１２は、スライドシャーシ２１と、第１モータ２２と、ウォーム歯車２３とを備えている。スライドシャーシ２１は、板金などで構成されており、機器本体２外に排出された状態の表示ユニット３の機器本体２寄りの一端部３ｃを、幅方向Ｘと平行な軸芯を中心として回転自在に支持している。即ち、駆動機構４は、表示ユニット３を支持している。第１モータ２２は、スライドシャーシ２１に固定されている。第１モータ２２の出力軸にはウォーム２４が取り付けられている。ウォーム歯車２３は、スライドシャーシ２１に幅方向Ｘを中心として回転自在に支持されている。ウォーム歯車２３は、ウォーム２４とラック２０との双方と噛み合っている。
【００２６】
スライド部１２は、第１モータ２２が例えば正転駆動すると、ラック２０上をウォーム歯車２３が走行して、スライドシャーシ２１即ち表示ユニット３を機器本体２内から開口部２ａを通して機器本体２外に向かって移動する。スライド部１２は、第１モータ２２が例えば逆転駆動すると、ラック２０上をウォーム歯車２３が走行して、スライドシャーシ２１即ち表示ユニット３を機器本体２外から開口部２ａを通して機器本体２内に向かって移動する。即ち、駆動機構４は、表示ユニット３を機器本体２に出し入れする。
【００２７】
回動部１５は、第２モータ２５と、連結歯車２６と、回動軸用歯車２７とを備えている。第２モータ２５は、スライドシャーシ２１に固定されており、その出力軸にピニオン２８が取り付けられている。連結歯車２６は、スライドシャーシ２１に幅方向Ｘを中心として回転自在に支持されており、ピニオン２８と噛み合っている。回動軸用歯車２７は、表示ユニット３の前述した一端部３ｃに固定されている。回動軸用歯車２７は、連結歯車２６と噛み合っている。
【００２８】
前述した構成によって、回動部１５は、例えば、第２モータ２５が正転駆動すると、前述した一端部３ｃを中心として、幅方向Ｘ回りに表示ユニット３を立ち上げる方向に回転する。回動部１５は、第２モータ２５が逆転駆動すると、前述した一端部３ｃを中心として、幅方向Ｘ回りに表示ユニット３を立ち下げる方向に回転する。即ち、駆動機構４は、表示ユニット３を機器本体２に出し入れする。駆動機構４は、表示ユニット３を機器本体２の外に位置付けて、当該機器本体２に対して立ち上げる。
【００２９】
前述した構成によって、駆動機構４は、第１モータ２２が例えば正転駆動してウォーム歯車２３がラック２０上を走行して、スライドシャーシ２１即ち表示ユニット３を機器本体２内に収容された収容位置（図６に示す）から機器本体２外に排出された排出位置の初期位置（図７に示す）に向かって、機器本体２の奥行き方向Ｙに沿って、表示ユニット３を移動する。即ち、駆動機構４は、第１モータ２２が例えば正転駆動すると、開口部２ａを通して、機器本体２内の表示ユニット３を機器本体２外に排出させる。
【００３０】
また、駆動機構４は、第１モータ２２が例えば逆転駆動すると、ウォーム歯車２３がラック２０上を走行して、スライドシャーシ２１即ち表示ユニット３を前述の排出位置の初期位置から収容位置に向かって、機器本体２の奥行き方向Ｙに沿って移動する。即ち、駆動機構４は、第１モータ２２が例えば逆転駆動すると、開口部２ａを通して、機器本体２外の表示ユニット３を機器本体２内に収容する。こうして、駆動機構４は、機器本体２内に収容された収容位置と、機器本体２内から排出された排出位置の初期位置とに亘って、表示ユニット３をスライド可能である。即ち、駆動機構４は、図２に示す収容位置と、図３に示す位置と、図４に示す排出位置の初期位置とに順に表示ユニット３などを移動する。
【００３１】
さらに、前述した構成によって、駆動機構４は、第２モータ２５が例えば正転駆動すると、機器本体２内から排出されて即ち収容位置から移動されて排出位置の初期位置（図４及び図７中に実線で示す）に位置付けられた表示ユニット３を、当該排出位置において、前述した一端部３ｃを中心として回転して、表示パネル３ａが乗員室内の乗員などと相対する例えば図５及び図７中に二点鎖線で示す視認位置に位置付ける。
【００３２】
なお、本明細書では、機器本体２外に位置付けられた表示ユニット３は、排出位置に位置付けられているという。即ち、本明細書では、視認位置と初期位置とは排出位置の一部である。また、本明細書では、排出位置において表示パネル３ａが下方に相対する状態を、表示ユニット３が排出位置の初期位置（図６中に実線で示す）に位置付けられているという。視認位置とは、初期位置から一端部３ｃを中心として回転された位置をいう。
【００３３】
また、駆動機構４は、第２モータ２５が例えば逆転駆動すると、前述した図５に示す視認位置に位置付けられた表示ユニット３を、前述した一端部３ｃを中心として回転して、表示パネル３ａが下方に相対する前述した図４に示す排出位置の初期位置に向かって移動させる。このように、駆動機構４は、収容位置と、当該収容位置から機器本体２外に排出された排出位置の初期位置とに亘って、表示ユニット３を移動させる。また、駆動機構４は、排出位置において、一端部３ｃを中心として表示ユニット３を回転させて、表示パネル３ａに表示した情報を乗員に視認させる視認位置に表示ユニット３を変位する。
【００３４】
このように、駆動機構４は、一端部３ｃを中心として表示ユニット３を回転することで、機器本体２外に排出された表示ユニット３を機器本体２に対して立ち上げて視認位置に位置付けるとともに、当該視認位置から表示ユニット３を立ち下げて機器本体２から排出された排出位置の初期位置に表示ユニット３を位置付ける。なお、立ち上げるとは、排出位置の表示ユニット３を初期位置から視認位置に向かって変位させることをいい、立ち下げるとは、排出位置の表示ユニット３を視認位置から初期位置に向かって変位させることをいう。
【００３５】
コネクタ部５は、駆動機構４のスライド部１２のスライドシャーシ２１の表面としての上面に設けられている。コネクタ部５は、ＵＳＢメモリ６の一端部が着脱自在である。コネクタ部５は、ＵＳＢメモリ６を、スライドシャーシ２１の上面から立設させた状態で、支持する。そして、コネクタ部５は、ＵＳＢメモリ６を視認位置の表示ユニット３の表示パネル３ａの裏側に位置する背面３ｄと間隔をあけて重なる位置に位置付ける。こうして、コネクタ部５は、当該コネクタ部５に取り付けられたＵＳＢメモリ６が視認位置の表示ユニット３の表示パネル３ａの裏側に位置する背面３ｄと間隔をあけて重なる位置に配置されている。
【００３６】
前述した構成のカーナビ１は、前記自動車のイグニッションスイッチがオンになると、駆動機構４を駆動して、機器本体２に収容されて収容位置に位置付けられた表示ユニット３を排出位置の初期位置に位置付けた後、視認位置に位置付ける。そして、カーナビ１は、操作部１３からの命令とおりに、表示ユニット３の表示パネル３ａに所望の情報を表示する。
【００３７】
また、前述した構成のカーナビ１は、前記自動車のイグニッションスイッチがオフになると、表示ユニット３の表示パネル３ａへの情報の表示を停止して、駆動機構４を駆動して、視認位置の表示ユニット３を収容位置に位置付ける即ち機器本体２内に収容する。
【００３８】
さらに、前述した構成のカーナビ１は、駆動機構４のスライド部１２のスライドシャーシ２１に設けられたコネクタ部５にＵＳＢメモリ６を取り付ける場合には、まず、操作部１３の操作ボタン１４などを操作して、駆動機構４を駆動して、視認位置に位置付けられた表示ユニット３を、図８に示すように、初期位置に位置付ける。その後、コネクタ部５のＵＳＢメモリ６を取り付けて、操作部１３の操作ボタン１４などを操作して、初期位置に位置付けられた表示ユニット３を、視認位置に位置付ける。そして、カーナビ１は、ＵＳＢメモリ６の情報を読み出して音声として出力したり、表示ユニット３の表示パネル３ａに所望の情報を表示する。こうして、カーナビ１は、ＵＳＢメモリ６を着脱する際に表示ユニットを排出位置の初期位置に位置付ける。
【００３９】
本実施例によれば、ＵＳＢメモリ６が取り付けられるコネクタ部５が、当該コネクタ部に取り付けられたＵＳＢメモリ６が表示ユニット３の背面３ｄと間隔をあけて重なる位置に配置されているので、ＵＳＢメモリ６を表示ユニット３によりカバーすることとなり、直接、乗員や異物などが当該表示ユニット３に接触し難くなる。したがって、当該表示ユニット３やコネクタ部５の破損を防止することが可能となる。さらに、ＵＳＢメモリ６が運転者へ向けて突出することがないので、運転の妨げになることもない。また、ＵＳＢメモリ６を機器本体２に格納するための機構も必要ないので機器本体２を小型化できる。また、コネクタ部５は表面に露出しているので複雑な機構等も不要となる。
【００４０】
また、表示ユニット３が、機器本体２内に記憶された情報又は機器本体２外から受信した情報を表示する表示パネル３ａを備えている。このため、表示パネル３ａが機器本体２内に格納されるカーナビ１において、ＵＳＢメモリ６をカバーするための特別な機構、部品を設ける必要がない。よって、カーナビ１の装置の小型化、構造の簡素化が可能となる。
【００４１】
さらに、駆動機構４は、機器本体２内に表示ユニット３を収容する収容位置と機器本体２外に表示ユニット３を露出する初期位置とに亘って当該表示ユニット３をスライド可能であるとともに、表示ユニット３を機器本体２に対して立ち上げる視認位置と前記初期位置とに亘って当該表示ユニット３を回転可能であり、ＵＳＢメモリ６を着脱する際に前記移動部を前記初期位置に位置付ける。このため、カバーである表示ユニット３がＵＳＢメモリ６の着脱を妨げることがなく、利便性を向上させることができる。
【００４２】
前述した実施例では、表示ユニット３を排出位置に位置付けると、外部に露出する位置にコネクタ部５を設けている。しかしながら、本発明では、排出位置で更に表示ユニット３を機器本体２の前面から突出させるようにして、この表示ユニット３が更に突出した際に外部に露出する位置にコネクタ部５を設けて良い。即ち、ＵＳＢメモリ６を取り付ける際のみ、コネクタ部５を露出させるようにしても良い。
【００４３】
この場合、ＵＢＳメモリ６を取り付ける際に、まず、操作ボタン１４などを操作して、図１０に示すように、表示ユニット３を排出位置の初期位置に位置付けた後、図１１に示すように、更に、表示ユニット３及びスライド部１２のスライドシャーシ２１を機器本体２の前面から突出させてコネクタ部５を露出させる。そして、図１２に示すように、コネクタ部５にＵＳＢメモリ６を取り付ける。その後、操作ボタン１４などを操作して、駆動機構４を駆動して、図１３に示すように、表示ユニット３を視認位置に位置付ける。このように、本発明では、駆動機構４は、ＵＳＢメモリ６が取り付けられていない際にコネクタ部５を機器本体２内に位置付けても良い。この場合、コネクタ部５が露出していることがないため塵埃が堆積することによる接触不良等を防ぐことができる。
【００４４】
また、本発明では、排出位置の視認位置において、表示ユニット３を当該表示ユニット３の表示パネル３ａに沿ってスライド自在とするスライド機構を設けても良い。この場合、表示ユニット３を視認位置から初期位置に移動させることなく、コネクタ部５にＵＳＢメモリ６を取り付けることができる。
【００４５】
前述した実施例によれば、以下のカーナビ１が得られる。
【００４６】
（付記）  機器本体２と、
前記機器本体２の前面２ｄから当該機器本体２の内外に移動自在に設けられた表示ユニット３と、
前記表示ユニット３を支持してこの表示ユニット３を前記機器本体２に出し入れするとともに当該表示ユニット３を前記機器本体２の外に位置付けて前記機器本体２に対して立ち上げる駆動機構４と、を備えたカーナビ１において、
前記駆動機構４の表面に設けられかつＵＳＢメモリ６が取り付けられるコネクタ部５を備え、
このコネクタ部５が、当該コネクタ部５に取り付けられたＵＳＢメモリ６が前記表示ユニット３の背面３ｄと重なる位置に配置されていることを特徴とするカーナビ１。
【００４７】
付記によれば、ＵＳＢメモリ６が取り付けられるコネクタ部５が、当該コネクタ部に取り付けられたＵＳＢメモリ６が表示ユニット３の背面３ｄと間隔をあけて重なる位置に配置されているので、ＵＳＢメモリ６を表示ユニット３によりカバーすることとなり、直接、乗員や異物などが当該表示ユニット３に接触し難くなる。したがって、当該表示ユニット３やコネクタ部５の破損を防止することが可能となる。さらに、ＵＳＢメモリ６が運転者へ向けて突出することがないので、運転の妨げになることもない。また、ＵＳＢメモリ６を機器本体２に格納するための機構も必要ないので機器本体２を小型化できる。また、コネクタ部５は表面に露出しているので複雑な機構等も不要となる。
【００４８】
なお、前述した実施例は、本発明の代表的な形態を示したに過ぎず、本発明は、実施例に限定されるものではない。即ち、本発明の骨子を逸脱しない範囲で種々変形して実施することができる。
【図面の簡単な説明】
【００４９】
【図１】本発明の一実施例にかかる電子機器としてのカーナビが自動車のインパネに取り付けられた状態を示す斜視図である。
【図２】図１に示されたカーナビの表示ユニットが収容位置に位置付けられた状態を示す斜視図である。
【図３】図２に示された表示ユニットが機器本体内から徐々に排出される状態を示す斜視図である。
【図４】図３に示された表示ユニットが排出位置の初期位置に位置付けられた状態を示す斜視図である。
【図５】図４に示された表示ユニットが排出位置の初期位置から視認位置に変位した状態を示す斜視図である。
【図６】図２に示されたカーナビの要部の断面図である。
【図７】図４に示されたカーナビの要部の断面図である。
【図８】図４に示されたカーナビの表示ユニットを初期位置に位置付けた状態を示す斜視図である。
【図９】図８に示されたカーナビのコネクタ部にＵＳＢメモリを取り付けた状態を示す斜視図である。
【図１０】図４に示されたカーナビの変形例の表示ユニットを初期位置に位置付けた状態を示す斜視図である。
【図１１】図１０に示されたカーナビの表示ユニットを機器本体より更に突出させた状態を示す斜視図である。
【図１２】図１１に示されたカーナビのコネクタ部にＵＳＢメモリを取り付けた状態を示す斜視図である。
【図１３】図１２に示されたカーナビの表示ユニットを視認位置に位置付けた状態を示す斜視図である。
【符号の説明】
【００５０】
１  カーナビ（電子機器）
２  機器本体
２ｄ  前面
３  表示ユニット（移動部）
３ａ  表示パネル（表示部）
３ｄ  背面
４  駆動機構（移送部）
５  コネクタ部
６  ＵＳＢメモリ（携帯型の記録媒体）
【図１】
2009286333.tif 000003
【図２】
2009286333.tif 000004
【図３】
2009286333.tif 000005
【図４】
2009286333.tif 000006
【図５】
2009286333.tif 000007
【図６】
2009286333.tif 000008
【図７】
2009286333.tif 000009
【図８】
2009286333.tif 000010
【図９】
2009286333.tif 000011
【図１０】
2009286333.tif 000012
【図１１】
2009286333.tif 000013
【図１２】
2009286333.tif 000014
【図１３】
2009286333.tif 000015